(57)【特許請求の範囲】
【請求項１】
携帯コンロの台座に嵌合載置する携帯コンロ用の五徳付き風防であって、
前記五徳付き風防は、円筒状の風防本体部と、前記風防本体部の上端の周方向に並列配置する複数個の五徳部とからなり、
前記風防本体部には、下側開口のスリットを複数個形成し、
前記スリットの上端が前記五徳部にまで入り込み、
前記五徳部には、放熱穴を穿設したことを特徴とした、携帯コンロ用の五徳付き風防。
【請求項２】
前記スリットは、ストレート状又はテーパー状であることを特徴とした、請求項１に記載の携帯コンロ用の五徳付き風防。
【請求項３】
前記五徳部は、略台形状又は略方形状であることを特徴とした、請求項１又は請求項２に記載の携帯コンロ用の五徳付き風防。
【請求項４】
前記放熱穴の形状は、前記五徳部の形状と略同じであることを特徴とした、請求項１乃至請求項３のうちいずれか１に記載の携帯コンロ用の五徳付き風防。
【請求項５】
前記風防本体部の下端には、深さ方向に形成した前記スリットと前記スリットの間の周方向に略台形状の放熱切欠部を形成したことを特徴とした、請求項１乃至請求項４のうちいずれか１に記載の携帯コンロ用の五徳付き風防。
【請求項６】
前記風防本体部の上端には、十字プレートを備えたことを特徴とした、請求項１乃至請求項５のうちいずれか１に記載の携帯コンロ用の五徳付き風防。
【請求項７】
前記十字プレートは、脱着自在であることを特徴とした、請求項６に記載の携帯コンロ用の五徳付き風防。
【請求項８】
前記十字プレートは２枚の平面状部材を組み合わせることによって形成され、
各前記平面状部材には、長手方向略中央に嵌合スリットを、長手方向両側に載置スリットを形成し、さらに、複数の肉抜部を備えたことを特徴とした、請求項７に記載の携帯コンロ用の五徳付き風防。

【発明の詳細な説明】
【技術分野】
【０００１】
本発明は、携帯コンロに嵌合載置して使用する携帯コンロ用の五徳付き風防に関する。
【背景技術】
【０００２】
従来より、キャンプ用のアウトドア調理器具として、また、災害時や遭難時の調理器具として、携帯コンロが用いられている。この携帯コンロは、携帯コンロの金属製等の台座（五徳）に載せた食材や飲料を入れた加熱容器を気体燃料等を用いて加熱調理するためのもので、台座内（台座下）に備えるバーナー部に点火し、加熱食器を直火で加熱するものである。
【０００３】
この携帯コンロを使用する際、特に屋外においては風の影響を受ける場合があるため、風向きや風の強さによってはバーナーの炎が消えてしまい、調理が困難な場合があった。このような問題を解決するため、携帯コンロ用の風防として文献１がある。
【０００４】
文献１は、バーナーのゴトク（８）最先端部の上部を風防Ａ（１）の上端角部を被せて位置決めをし、風防の取り付け姿勢の安定化して、ゴトク（６）より下部にある燃焼ヘッド（５）を風から守ると共に風防底部は点火、火力調整装置（７）および燃料カートリッジ（８）を燃焼による過熱を防止する遮熱板構造を具備し、また下部側面には空気取り入れ口の役目の穴が開いていることを特徴とするバーナー用風防である。
【先行技術文献】
【特許文献】
【０００５】
【特許文献１】特開２０１５−２０３５６０号公報
【発明の概要】
【発明が解決しようとする課題】
【０００６】
しかしながら、文献１に係る発明を使用する場合は、バーナーのゴトクの先端上部に風防Ａ（１）の角隅部を被せる様に装着し、次に風防Ｂ（２）を差込式蝶番にあわせて、装着する構成であるが、このような装着の場合、装着が不安定となる場合があり、さらには、風防Ａ（１）や風防Ｂ（２）の上端に食材や飲料を入れた加熱容器を載せた際、加熱容器が滑るおそれがある。また、風防Ａ（１）、風防Ｂ（２）の底部は、点火、火力調整装（７）および燃料カートリッジ（８）を燃焼による加熱を防止する遮熱板構造を持っているが、輻射熱の放出に関し問題がある場合がある。
【課題を解決するための手段】
【０００７】
そこで、本発明は、このような携帯コンロ用の風防の問題点に着目し、風防本体部によって風を遮ることによってバーナーの炎が消えるのを防止することができ、また、五徳部に穿設した放熱穴によって輻射熱を放出できることによりコンロ内や燃料タンク等への過剰加熱を防止することができ、さらには、コンロ内の炎の燃焼状態を確認しやすくなる、携帯コンロに強固に嵌合載置できる五徳付き風防を提供するものである。
【０００８】
請求項１の発明は、携帯コンロの台座に嵌合載置する携帯コンロ用の五徳付き風防であって、五徳付き風防は、円筒状の風防本体部と、風防本体部の上端の周方向に並列配置する複数個の五徳部とからなり、風防本体部には、下側開口のスリットを複数個形成し、スリットの上端が五徳部にまで入り込み、五徳部には、放熱穴を穿設したことを特徴とした、携帯コンロ用の五徳付き風防である。
【０００９】
請求項２の発明は、スリットは、ストレート状又はテーパー状であることを特徴とした、請求項１に記載の携帯コンロ用の五徳付き風防である。
【００１０】
請求項３の発明は、五徳部は、略台形状又は略方形状であることを特徴とした、請求項１又は請求項２に記載の携帯コンロ用の五徳付き風防である。
【００１１】
請求項４の発明は、放熱穴の形状は、五徳部の形状と略同じであることを特徴とした、請求項１乃至請求項３のうちいずれか１に記載の携帯コンロ用の五徳付き風防である。
【００１２】
請求項５の発明は、風防本体部の下端には、深さ方向に形成したスリットとスリットの間の周方向に略台形状の放熱切欠部を形成したことを特徴とした、請求項１乃至請求項４のうちいずれか１に記載の携帯コンロ用の五徳付き風防である。
【００１３】
請求項６の発明は、風防本体部の上端には、十字プレートを備えたことを特徴とした、請求項１乃至請求項５のうちいずれか１に記載の携帯コンロ用の五徳付き風防である。
【００１４】
請求項７の発明は、十字プレートは、脱着自在であることを特徴とした、請求項６に記載の携帯コンロ用の五徳付き風防である。
【００１５】
請求項８の発明は、十字プレートは２枚の平面状部材を組み合わせることによって形成され、各平面状部材には、長手方向略中央に嵌合スリットを、長手方向両側に載置スリットを形成し、さらに、複数の肉抜部を備えたことを特徴とした、請求項７に記載の携帯コンロ用の五徳付き風防である。
【発明の効果】
【００１６】
請求項１の発明によれば、風防本体部によって風を遮ることができるため、風によってバーナーの炎が消えるのを防止することができる。また、五徳部に穿設した放熱穴によって輻射熱を放出できることによりコンロ内や燃料タンク等への過剰加熱を防止することができ、さらには、コンロ内の炎の燃焼状態を確認しやすくなる。
【００１７】
請求項２の発明によれば、携帯コンロに五徳付き風防をしっかりと嵌合載置させることができる。
【００１８】
請求項３の発明によれば、安定して加熱容器を載せることができる。
【００１９】
請求項４の発明によれば、放熱性を確保しつつ、見た目のデザインを良好にすることができる。
【００２０】
請求項５の発明によれば、風防本体部下側からの輻射熱の放出性を確保することができ、コンロ内や燃料タンク等への過剰加熱を防止することができる。
【００２１】
請求項６の発明は、風防本体部の内径よりも小径の加熱容器であっても十字プレートの上に載置して使用することができる。
【００２２】
請求項７の発明は、加熱容器の大きさに応じた構成へと柔軟に対応することができる。
【００２３】
請求項８の発明は、保存、運搬、清掃に便利であり、また、軽量化を図ることができる。
【図面の簡単な説明】
【００２４】
【図１】五徳付き風防の正面図である。
【図２】図１の斜視図である。
【図３】十字プレートの分解結合図である。
【図４】十字プレートを備えた五徳付き風防の斜視図である。
【図５】五徳付き風防を携帯コンロに嵌合載置した使用状態の斜視図である。
【図６】五徳付き風防に十字プレートを備えた使用状態の斜視図である。
【発明を実施するための形態】
【００２５】
一般的な周知の携帯コンロ３００は、食材や飲料を入れた加熱容器（不図示）を金属製等の台座３０１上に載せ、この台座３０１内（台座３０１下）に備えるバーナー部３０２に点火し、加熱食器を直火で加熱する。その構成としては、主に、燃料タンク３０３（ガスカートリッジ等）と連通接続され、この燃料タンク３０３から供給された燃料をバーナー部３０２において燃焼するコンロ本体３０４と、このコンロ本体３０４のバーナー部３０２の上方に加熱食器を載置保持する複数の台座３０１（五徳）とからなる。さらには、コンロ本体３０４に、点火時に使用する点火制御装置や、燃料タンク３０３からの燃料供給量を調整してバーナー部の火力を調整する火力調整栓３０５等を備える。
【００２６】
本発明は、市販されている周知の携帯コンロ３００の台座３０１（五徳）に嵌合載置し、携帯コンロ３００の使用に際して風を遮るための風防と、加熱食器を載せることができる五徳の機能を兼ね備えた携帯コンロ３００用の五徳付き風防１である。本発明の構成物品としては、主に五徳付き風防１、その他十字プレート１００等で構成される。これら構成物品について以下説明する。
【００２７】
図１で図示したように、五徳付き風防１は、円筒状の風防本体部１０と、この風防本体部１０の上端１２に沿って並列配置する複数の五徳部５０とからなる。素材は、強度や耐熱性の観点から金属製が好適であるが、特に限定されるものではない。
【００２８】
風防本体部１０は軸方向に貫通した円筒状であるが、内径や外径の大きさは問わない。したがって、周知の携帯コンロ３００（台座３０１部分）の大きさに合わせた大きさであればどのような大きさであってもよい。また、風防本体部１０の高さも問わない。したがって、携帯コンロ３００の加熱効率を阻害しない高さであればどのような高さであってもよい。
【００２９】
風防本体部１０には、スリット１８を複数個形成している。このスリットは、携帯コンロ３００の台座３０１（五徳）に嵌合載置するためのものであり、市販の携帯コンロ３００の台座３０１（五徳）の数に合わせて形成される。したがって、携帯コンロ３００の台座３０１（五徳）の数が三個であればスリット１８の数は三個、携帯コンロ３００の台座３０１（五徳）の数が四個であればスリット１８の数は四個とする。
【００３０】
また、このスリット１８は、ストレート状（不図示）又はテーパー状（図１等参照）としている。ストレート状とすれば、見た目のデザイン的にすっきりとした仕上がりとなり、また、スリット１８を台座３０１にがたつきが少なく嵌めることができる。テーパー状とすれば、末広がり状のスリット１８により、スリット１８を台座３０１に嵌め易くなる。どちらの場合も携帯コンロに五徳付き風防をしっかりと強固に嵌合載置させることができる。テーパー状に関しては、主に、深さ方向（下方向）に幅が広くなる末広がり状とするが、テーパーの角度については特に限定されない。
【００３１】
スリット１８は、風防本体部１０の下端１４から形成される下側開口であって、スリット１８の上端１８ａが五徳部５０にまで入り込んでいる。このように五徳部５０にまでスリット１８の上端１８ａが入り込むことによって、風防本体部１０を携帯コンロ３００の台座３０１にしっかりと嵌合載置することができるためガタつきや転落を阻止でき、また、重心が下方にあることとなり、安定性がよくなる。
【００３２】
風防本体部１０の上端に五徳部５０が並列配置する。この五徳部５０は、風防本体部１０の上端１２の周方向に複数個立設されている。図４等で明らかなように五徳部５０の数は１６個であるが、この数については特に限定されない。また、大きさについても限定されない。
【００３３】
五徳部５０の形状は特に限定されず、図１等で図示した略台形状の他、図示しない略方形状であってもよい。
【００３４】
五徳部５０は文字通り五徳としての機能、すなわち、五徳部５０の上端５２に食材や飲料を入れた加熱容器を載せて調理を行うことができるが、五徳付き風防１は、風防本体部１０の上端１２に配置した五徳部５０と、五徳部５０がない部分の凹部５８が交互に配置されることから、凹部５８と五徳部５０からなる凹凸形状によりグリップ力向上効果を奏するため、五徳部５０上で加熱容器が滑り難くなり安定して使用することができる。また、図示しないが、五徳部５０の上端５２においても溝等により凹凸形状を形成することもでき、これによればさらにグリップ力が向上する。
【００３５】
さらには、この五徳部５０には、輻射熱放熱用の放熱穴５５を穿設する。これにより、バーナー部３０２の炎が上方の方が比較的温度が高いような場合、風防本体部１０の上端１２の五徳部５０の放熱穴５５によってコンロ本体３０４内の上方に溜まった輻射熱を効果的に放熱することができる。さらには、コンロ内の炎の燃焼状態を確認しやすくなる。放熱穴５５の大きさは、加熱容器を載せた際の強度を損なわない大きさであればどのような大きさであってもよい。
【００３６】
放熱穴５５の形状は、五徳部５０の形状と略同じとすることが挙げられる。すなわち、五徳部５０の形状が略台形状であれば放熱穴５５の形状も略台形状（図１参照）、五徳部５０の形状が略方形状であれば放熱穴５５の形状も略方形状（不図示）とすることが挙げられる。
【００３７】
その他、図示しないが、放熱穴５５の形状と五徳部５０の形状とを相違してもよい。例えば、五徳部５０の形状が略台形状で放熱穴５５の形状を略方形状としてもよいし、また、五徳部５０の形状が略方形状で放熱穴５５の形状を略台形状としてもよい。その他、丸、三角等の多角形であってもよい。放熱穴５５を多角形とした場合、各角部を角丸としてもよい。
【００３８】
また、全ての五徳部５０に放熱穴５５を穿設してもよいし、全てではなく一部の五徳部５０に放熱穴５５を穿設してもよい。すなわち、五徳部５０に対する放熱穴５５の数は問わない。
【００３９】
使用中に五徳付き風防１を外側から見ると、五徳部５０の穿設した放熱穴５５や五徳部５０がない凹部５８からバーナー部３０２の炎が消えていたり、また、炎の向きが不用意に変わったりする等の炎の状態を使用者が目視で容易に確認することができて便利である。
【００４０】
また、風防本体部１０の下端１４には、周方向に放熱切欠部１９を備えている。周知の携帯コンロ３００によっては、バーナー部３０２の燃焼炎によるコンロ本体３０４や燃料タンク３０３（ガスボンベ）の温度上昇を低減するための断熱構造、具体的には、携帯コンロ３００からの輻射熱を防ぐために輻射熱を遮るプレートをコンロ本体３０４に備える構成や、別体のプレートを設置する場合がある（不図示）。このプレートが仮に風防本体部１０の下端１４に当接するような場合であっても、この放熱切欠部１９も熱を逃がす隙間となるため、この放熱切欠部１９から輻射熱を逃がすことによりコンロ本体３０４や燃料タンク３０３等への過剰加熱を防止することができる。
【００４１】
放熱切欠部１９の形状としてはどのような形状でもよく、図１、図２等のような略台形状の他、図示しない方形状であってもよい。放熱切欠部１９の数も限定されない。図２では、スリット１８とスリット１８との間に１個の放熱切欠部１９を備えているが、２個以上備えてもよい。
【００４２】
以上のとおり、本発明においては、五徳付き風防１のまわりからの風の進入を防いで効率よく鍋等の加熱食器を加熱することができるとともに、放熱穴５５や放熱切欠部１９から輻射熱を逃がすことができる。
【００４３】
風防本体部１０の上端１２（五徳部５０がない凹部５８）に十字プレート１００を備えた構成とすることもできる。この十字プレート１００は、風防本体部１０の直上に斜交する状態で配置されるもので、風防本体部１０の内周よりも小さな加熱容器を載せる際に使用する構成物品である。すなわち、風防本体部１０の内径よりも小径の加熱容器を十字プレート１００に載置して使用することができる。
【００４４】
十字プレート１００は、風防本体部１０と一体の構成の他、風防本体部１０と別体で風防本体部１０から脱着自在の構成であってもよい。
【００４５】
風防本体部１０から脱着自在の構成の場合、十字プレート１００が一体の構成の他、図３のように２枚の平面状部材２００を組み合わせることによって十字プレート１００が形成される構成であってもよく、このような２枚の平面状部材２００を組み合わせた十字プレート１００の場合、２枚の平面状部材２００を嵌合交差して十字プレート１００が形成される。
【００４６】
図３では、十字プレート１００の分解結合する状態を図示している。上方から嵌合する一方の平面状部材２００には、長手方向略中央に下側開口の嵌合スリット２０２を形成している。また、下方から嵌合する他方の平面状部材２００には、長手方向略中央に上側開口の嵌合スリット２０２を形成している。これらの嵌合スリット２０２同士を嵌合することによって２枚の平面状部材２００で十字プレート１００が形成される。
【００４７】
また、２枚の平面状部材２００にはそれぞれ長手方向両側に下側開口の載置スリット２０３を形成している。この載置スリット２０３は、風防本体部１０の上端１２（五徳部５０がない凹部５８）に嵌合載置するためのスリットである。
【００４８】
さらには、平面状部材２００には複数の肉抜部２０１を備えている。この肉抜部２０１において軽量化を図ることができる。さらには、炎の状態を使用者が目視で容易に確認することができる。肉抜部２０１の大きさは、加熱容器を載せた際の強度を損なわない大きさであればどのような大きさであってもよい。
【００４９】
また、図示しないが、２枚の平面状部材２００の上端においても溝等の凹凸形状とすることもでき、これによればさらにグリップ力が向上する。
【００５０】
平面状部材２００の形状としては、図３のような上路式の橋形状が挙げられるが、この形状に限定されない。したがって、単なる略長方形状であってもよい。また、十字プレート１００を一体成形してもよい。
【００５１】
以上、各実施形態に基づき本発明を説明したが、本発明は上記実施形態に限定されるものではなく、本発明の趣旨を逸脱しない範囲で、変更を加えてもよいし、各実施形態に記載の技術、又は、その他の公知や周知の技術を組み合わせるようにしてもよい。
【００５２】
携帯コンロ３００の概略的な構成は以上のようなものであるが、このような構成は種々の改変を行うことができる。例えば、コンロ本体３０４は、燃料タンク３０３に接続可能な燃料供給ホース（不図示）と、この燃料供給ホースを介し燃料タンク３０３から燃料の供給を受ける構成としてもよい。
【００５３】
五徳付き風防１や十字プレート１００については、美観を維持できるように熱変色耐性を具えた構成としてもよい。
【００５４】
五徳付き風防１は、例えば、金属製の筒体を種々の公知のレーザー加工機でレーザー加工することにより安価に製造することができる。このような加工によって製造された場合、五徳付き風防１に関しては組み上げる必要がなく、そのままの状態で携帯コンロ３００に嵌合載置することができるため、コンロ本体３０４への載置が極めて簡単で手軽に使用することができ、また、安定性良く良好に加熱調理を行うことができる。さらには携帯性にも優れる。
【００５５】
五徳付き風防１の実際の使用状態を図５、図６で図示した。図５は、携帯コンロ３００に五徳付き風防１を設置した状態、具体的には、携帯コンロ３００の４個の台座３０１に五徳付き風防１の各スリット１８を嵌合することによって、五徳付き風防１を携帯コンロ３００に嵌合載置した状態を図示している。
【００５６】
そして、食材や飲料を入れた加熱容器を五徳部５０の上に載せ、携帯コンロ３００の台座３０１下に備えるバーナー部３０２に点火することによって加熱食器を直火で加熱して使用することができる。なお、バーナー部３０２の火力を調整する際は携帯コンロの火力調整栓３０５を利用して行う。
【００５７】
図６は、携帯コンロ３００に嵌合載置した五徳付き風防１の上端に、さらに十字プレート１００を備えた状態を図示している。十字プレート１００を備えた場合にあっては、風防本体部１０の内径よりも小さいコップ等の加熱容器を載せて使用することができる。
【００５８】
各図において各実施形態を図示したが、図を分かりやすくする等のために、一部構成を省略、簡略化した部分があるため、本発明は図示した実施形態に限定されるものではない。
【符号の説明】
【００５９】
１：五徳付き風防
１０：風防本体部
１２：上端
１４：下端
１８：スリット
１８ａ：上端
１９：放熱切欠部
５０：五徳部
５２：上端
５５：放熱穴
５８：凹部
１００：十字プレート
２００：平面状部材
２０１：肉抜部
２０２：嵌合スリット
２０３：載置スリット
３００：携帯コンロ
３０１：台座
３０２：バーナー部
３０３：燃料タンク
３０４：コンロ本体
３０５：火力調整栓
【要約】
【課題】風防本体部によって風を遮ることができるため、風によってバーナーの炎が消えるのを防止することができる。また、五徳部に穿設した放熱穴によって輻射熱を放出できることによりコンロ内や燃料タンク等への過剰加熱を防止することができ、さらには、コンロ内の炎の燃焼状態を確認しやすくなる。
【構成】本発明は、携帯コンロの台座に嵌合載置する携帯コンロ用の五徳付き風防であって、
五徳付き風防は、円筒状の風防本体部と、風防本体部の上端の周方向に並列配置する複数個の五徳部とからなり、風防本体部には、下側開口のスリットを複数個形成し、五徳部には、放熱穴を穿設したことを特徴とした、携帯コンロ用の五徳付き風防である。
【選択図】図１【図１】
0006868856.tif 000002
【図２】
0006868856.tif 000003
【図３】
0006868856.tif 000004
【図４】
0006868856.tif 000005
【図５】
0006868856.tif 000006
【図６】
0006868856.tif 000007